(57)【要約】【課題】簡易な構成で、手摺が設けられる立ち上がり部内に液体が浸入するのを長期間にわたって防止する。【解決手段】手摺３は、上方へ開口する空間１９を有する立ち上がり部２の開口２１を閉じるよう立ち上がり部２を上方から覆う捨て水切り材４と、捨て水切り材４を上方から覆う下笠木材５とを備える。捨て水切り材４は、前記開口２１を閉じる上片２２と、上片２２の屋内側端部に下方へ延出して形成される内片２４と、内片２４に屋外方向へ延出して形成される延出片２５とを有する。立ち上がり部２の屋内側の面と延出片２５との間に隙間２６が形成されるように、上片２２が前記開口２１を閉じるように配置されると共に、内片２４が立ち上がり部２の屋内側に配置された状態で、立ち上がり部２の屋内側の面、上片２２の内面、内片２４の内面および延出片２５の内面により空間８４が形成される。【選択図】図２
2020045638.tif 000002
【特許請求の範囲】
【請求項１】
外部床の屋外縁に形成される立ち上がり部に設けられ、上方へ開口する空間を有する前記立ち上がり部の前記開口を閉じるよう前記立ち上がり部を上方から覆う捨て水切り材と、前記捨て水切り材を上方から覆う下笠木材とを備える手摺の防水構造であって、
前記捨て水切り材は、前記開口を閉じる上片と、前記上片の屋内側端部に下方へ延出して形成される内片と、前記内片に屋外方向へ延出して形成される延出片とを有し、
前記立ち上がり部の屋内側の面と前記延出片との間に隙間が形成されるように、前記上片が前記開口を閉じるように配置されると共に、前記内片が前記立ち上がり部の屋内側に配置された状態で、前記立ち上がり部の屋内側の面、前記上片の内面、前記内片の内面および前記延出片の内面により空間が形成される
ことを特徴とする手摺の防水構造。
【請求項２】
前記立ち上がり部の屋内側上端部と前記上片との間に水密材が設けられる
ことを特徴とする請求項１に記載の手摺の防水構造。
【請求項３】
手摺面材を保持する手摺支柱をさらに備え、
前記手摺支柱は、
前記捨て水切り材および前記下笠木材を貫通した状態で、下端部が前記空間内に配置されて前記外部床の躯体に設けられる支柱本体と、
前記支柱本体の前記下笠木材から上方へ延出した部分を覆う支柱カバーとを有し、
前記下笠木材と前記支柱カバーの下端部との間に水密材が設けられる
ことを特徴とする請求項１または請求項２に記載の手摺の防水構造。
【発明の詳細な説明】
【技術分野】
【０００１】
本発明は、バルコニなどの外部床の外周縁に沿って設けられる手摺の防水構造に関するものである。
【背景技術】
【０００２】
下記特許文献１には、バルコニの周縁に沿って立設されたパラペットの上面に設けられる手摺の支柱固定構造が開示されている。この手摺は、パラペットの骨組みの上面に固定された支柱受具と、この支柱受具に立設された支柱と、この支柱の上端に取り付けられた笠木と、支柱の下部にパッキンを介して取り付けられ、パラペットの上端部分を覆うパラペット材と、支柱に胴縁を介して取り付けられたガラスとから構成されている。ここで、パラペット材の下端とパラペットとの隙間は、パラペット材の内面から突出したゴムなどからなるシール部材で塞がれている。従って、シール部材により、パラペットの骨組みの内部への雨水などの浸入を防止することができる。
【先行技術文献】
【特許文献】
【０００３】
【特許文献１】特開平１１−３６４３９号公報
【発明の概要】
【発明が解決しようとする課題】
【０００４】
しかしながら、上記特許文献１に記載のシール部材では、掃除の際にバルコニなどの床に勢いよく水をまいた場合、そのまかれた水によってシール部材がめくれ上がって、パラペットの骨組みの内部へ水が浸入するおそれがある。また、シール部材がゴムなどからなるので、長期間使用した場合、劣化して防水機能を果たせなくなるおそれがある。
【０００５】
本発明は、このような問題に鑑みてなされたものであり、その主たる目的は、簡易な構成で、手摺が設けられる立ち上がり部内に液体が浸入するのを長期間にわたって防止することにある。
【課題を解決するための手段】
【０００６】
上記目的を達成するための本発明に係る手摺の防水構造は、外部床の屋外縁に形成される立ち上がり部に設けられ、上方へ開口する空間を有する前記立ち上がり部の前記開口を閉じるよう前記立ち上がり部を上方から覆う捨て水切り材と、前記捨て水切り材を上方から覆う下笠木材とを備える手摺の防水構造であって、前記捨て水切り材は、前記開口を閉じる上片と、前記上片の屋内側端部に下方へ延出して形成される内片と、前記内片に屋外方向へ延出して形成される延出片とを有し、前記立ち上がり部の屋内側の面と前記延出片との間に隙間が形成されるように、前記上片が前記開口を閉じるように配置されると共に、前記内片が前記立ち上がり部の屋内側に配置された状態で、前記立ち上がり部の屋内側の面、前記上片の内面、前記内片の内面および前記延出片の内面により空間が形成されることを特徴とする。
【０００７】
また、本発明に係る手摺の防水構造は、前記立ち上がり部の屋内側上端部と前記上片との間に水密材が設けられることを特徴とする。
【０００８】
さらに、本発明に係る手摺の防水構造は、手摺面材を保持する手摺支柱をさらに備え、前記手摺支柱は、前記捨て水切り材および前記下笠木材を貫通した状態で、下端部が前記空間内に配置されて前記外部床の躯体に設けられる支柱本体と、前記支柱本体の前記下笠木材から上方へ延出した部分を覆う支柱カバーとを有し、前記下笠木材と前記支柱カバーの下端部との間に水密材が設けられることを特徴とする。
【発明の効果】
【０００９】
本発明に係る手摺の防水構造によれば、手摺の下端部において、捨て水切り材によって立ち上がり部の開口が閉じられた状態で、立ち上がり部の屋内側の面、捨て水切り材の上片の内面、捨て水切り材の内片の内面および捨て水切り材の延出片の内面により空間が形成される。従って、立ち上がり部の屋内側の面と延出片との隙間から勢いよく水が外気と共に前記空間内に浸入した場合、空間により侵入した外気の勢いが弱められ、外気と共に空間内に浸入した水を空間で止めることができる。これにより、立ち上がり部内に水が浸入するのを長期間にわたって防止することができる。
【００１０】
また、本発明に係る手摺の防水構造によれば、前述した空間に加えて、立ち上がり部の屋内側と上片との間に水密材が設けられるので、立ち上がり部内に水が浸入するのをより確実に防止することができる。
【００１１】
さらに、本発明に係る手摺の防水構造によれば、下笠木材と支柱カバーの下端部との間に水密材が設けられるので、下笠木材の支柱の貫通部から下笠木材内、ひいては立ち上がり部内に水が浸入するのを防止することができる。
【図面の簡単な説明】
【００１２】
【図１】本発明の手摺の防水構造の一実施例を示す概略縦断面図である。
【図２】図１におけるＡ部拡大図である。
【図３】図１の手摺の防水構造の施工方法を示す概略斜視図であり、手摺支柱の施工を示している。
【図４】図１の手摺の防水構造の施工方法を示す概略斜視図であり、捨て水切り材および下笠木材の施工を示している。
【図５】図１の手摺の防水構造の施工方法を示す概略斜視図であり、固定プレートの施工を示している。
【図６】図１の手摺の防水構造の施工方法を示す概略斜視図であり、支柱カバーの施工を示している。
【発明を実施するための形態】
【００１３】
以下、本発明の手摺の防水構造の具体的実施例を図面に基づいて詳細に説明する。
【００１４】
図１および図２は、本発明の手摺の防水構造の一実施例を示す図であり、図１は概略縦断面図、図２は図１におけるＡ部拡大図である。なお、以下の説明においては、図１の紙面における左右方向を前後方向、すなわち、屋外側を前方、屋内側を後方とする。
【００１５】
本実施例の手摺の防水構造は、外部床１の屋外縁に形成される立ち上がり部２に設けられる手摺３の防水構造である。この手摺３は、立ち上がり部２を上方から覆う捨て水切り材４と、捨て水切り材４を上方から覆う下笠木材５と、外部床１の躯体に設けられる手摺支柱６と、手摺支柱６に保持される手摺面材７とを備えて構成される。ここでは、外部床１がバルコニの場合について説明するが、これに限定されるものではなく、たとえば、ベランダ、外廊下または屋上であってもよい。外部床１は、住宅の二階に外壁から屋外側へ延出して設けられ、外壁に設けられた掃き出し窓を介して、二階の居室と行き来可能とされている。外部床１は、床部８と前記立ち上がり部２とを有している。
【００１６】
床部８は、梁材９，９間に架け渡される基礎材１０上に設けられる断熱材１１と、断熱材１１上に設けられる不燃ボード１２と、不燃ボード１２上に設けられる防水シート１３とを有している。断熱材１１は、板状に形成されており、板面を上下に向けて基礎材１０上に設けられる。不燃ボード１２は、断熱材１１よりも薄い板状に形成されており、板面を上下に向けて断熱材１１の上面に敷設される。防水シート１３は、シート状に形成されており、不燃ボード１２の上面を覆うようにして敷かれる。なお、図示しないが、防水シート１３上には、化粧材が設けられる。
【００１７】
床部８の屋外側に、立ち上がり部２が設けられる。立ち上がり部２は、床部８の屋外側端部に配置される下地材１４と、下地材１４の屋外側に配置される外壁パネル１５とを有している。下地材１４は、板状に形成されており、板面を前後に向けて配置される。下地材１４と床部８との隅部には、側面視略Ｌ字形の板状の隅部材１６が設けられる。隅部材１６は、一片１７が床部８に配置される一方、他片１８が下地材１４に配置される。隅部材１６の他片１８は、先端部が前方へ屈曲した後さらに上方へ屈曲して形成されており、先端部が下地材１４の上面に配置されると共に、残りの部分が下地材１４の後面に配置される。この際、他片１８の先端部は、前方への屈曲部が下地材１４の上面に配置され、上方への屈曲部が下地材１４から上方へ延出して配置される。隅部材１６は、前方への屈曲部から一片１７にかけて、防水シート１３で覆われている。また、住宅の外壁である外壁パネル１５は、板状に形成されており、板面を前後に向けて配置される。この際、外壁パネル１５と下地材１４とは、前後方向に互いに離隔して配置される。これにより、立ち上がり部２には、上方へ開口する空間１９が形成される。
【００１８】
このようにして、外部床１の屋外縁には、上方へ開口する空間１９を有する立ち上がり部２が上方へ延出して形成される。立ち上がり部２には、手摺面材７を保持する手摺支柱６が立設される。具体的には、手摺支柱６は、下端部が外部床１の躯体である梁材９に固定された状態で、立ち上がり部２から上方へ延出して設けられる。この際、手摺支柱６は、立ち上がり部２の空間１９を通って、立ち上がり部２から上方へ延出している。手摺支柱６の下部には、笠木下地材２０が設けられる。笠木下地材２０は、板状に形成されており、板面を上下方向に向けた状態で手摺支柱６に固定される。この際、笠木下地材２０と立ち上がり部２の上端との間には、隙間が形成される。
【００１９】
また、手摺支柱６の下部には、笠木下地材２０を介して、捨て水切り材４が設けられる。捨て水切り材４は、下方へ開口する側面視略コ字形の板状に形成されており、立ち上がり部２の上方への開口２１を閉じる上片２２と、上片２２の屋外側端部に下方へ延出して形成される外片２３と、上片２２の屋内側端部に下方へ延出して形成される内片２４と、内片２４に屋外方向へ延出して形成される延出片２５とを有している。本実施例の捨て水切り材４は、上片２２、内外片２４，２３および延出片２５が一体形成されており、板材の屋外側端部および屋内側端部をそれぞれ下方へ屈曲して外片２３および内片２４が形成され、さらに内片２４の先端部を折り返した後に屋外方向へ屈曲して延出片２５が形成される。
【００２０】
捨て水切り材４は、上片２２が笠木下地材２０の上に載せ置かれた状態で、ネジなどで笠木下地材２０に固定される。この際、捨て水切り材４は、上片２２が立ち上がり部２の開口２１を覆って閉じるように配置され、内外片２４，２３がそれぞれ立ち上がり部２の屋内側および屋外側に配置される。具体的には、捨て水切り材４は、外片２３が外壁パネル１５の表面との間に隙間をあけた状態で下方へ延出して配置され、内片２４が防水シート１３との間に隙間をあけた状態で下方へ延出して配置される。また、捨て水切り材４の延出片２５の先端部と立ち上がり部２の屋内側の面である防水シート１３との間には、隙間２６が形成される。
【００２１】
捨て水切り材４が笠木下地材２０を介して手摺支柱６に固定された状態では、立ち上がり部２の屋外側上端部と捨て水切り材４の上片２２との間、および立ち上がり部２の屋内側上端部と捨て水切り材４の上片２２との間にそれぞれ水密材２７，２８が設けられる。本実施例では、水密材２７は、捨て水切り材４の上片２２と外壁パネル１５の上面との間に設けられる。また、水密材２８は、第一水密片２９と第二水密片３０とを有している。第一水密片２９は、隅部材１６の他片１８の前方への屈曲部に設けられる防水シート１３と捨て水切り材４の上片２２との間に設けられる。第二水密片３０は、第一水密片２９の前側において、隅部材１６の他片１８の上方への屈曲部の上面と捨て水切り材４の上片２２との間に設けられる。
【００２２】
捨て水切り材４には、それを覆うようにして、下笠木材５が設けられる。下笠木材５は、下方へ開口する側面視略コ字形の板状に形成されており、板面を上下に向けて配置される上片３１と、上片３１の屋外側端部に下方へ延出して形成される外片３２と、上片３１の屋内側端部に下方へ延出して形成される内片３３とを有している。本実施例では、下笠木材５の上片３１は、屋内側へ行くに従って下方へ傾斜して形成されている。
【００２３】
下笠木材５は、上片３１が捨て水切り材４の上片２２に上下に対応するよう配置されると共に、内外片３３，３２がそれぞれ捨て水切り材４の内外片２４，２３に前後に対応するよう配置された状態で、捨て水切り材４に設けられる。この際、下笠木材５の上片３１と捨て水切り材４の上片２２との間、下笠木材５の外片３２と捨て水切り材４の外片２３との間、および下笠木材５の内片３３と捨て水切り材４の内片２４との間には、隙間が形成される。本実施例では、下笠木材５は、下笠木材５に設けられる取付具３４が捨て水切り材４に設けられる被取付具３５に取り付けられることで、捨て水切り材４に設けられる。下笠木材５に設けられる取付具３４は、下方へ開口する側面視略コ字形の弾性を有する板状に形成されており、屋外側端部および屋内側端部にそれぞれ内方へ延出する係合部３６、および下方へ延出する脚部３７を有している。一方、捨て水切り材４に設けられる被取付具３５は、下方へ開口する側面視略コ字形の板状に形成されており、屋外側端部および屋内側端部にそれぞれ、係合部３６が係合される段状の被係合部３８を有している。
【００２４】
取付具３４は、屋外側端部および屋内側端部がそれぞれ、下笠木材５の屋外側端部および屋内側端部にそれぞれ内方へ延出して形成された載置部３９に載せ置かれた状態で、下笠木材５の内面に沿って設けられる。一方、被取付具３５は、捨て水切り材４の外面に沿って設けられる。従って、下笠木材５および取付具３４を外方へ広げつつ捨て水切り材４に被せて、取付具３４の係合部３６を被取付具３５の被係合部３８に係合させることで、取付具３４が弾性力によって被取付具３５に係合されて、下笠木材５が捨て水切り材４に設けられる。下笠木材５が捨て水切り材４に設けられた状態では、取付具３４の脚部３７の下端部が被取付具３５の上面に接触しており、下笠木材５と捨て水切り材４とが隙間をあけて配置される。なお、本実施例では、取付具３４と被取付具３５とのセットは、左右方向に互いに間隔をあけて複数セットが用いられる。
【００２５】
このようにして、手摺支柱６に捨て水切り材４および下笠木材５が設けられる。この際、手摺支柱６は、捨て水切り材４および下笠木材５を貫通して、上方へ延出して配置される。手摺支柱６の上端部には、上笠木材４０が屋外側へ延出して設けられる。また、下笠木材５から上方へ延出した部分の手摺支柱６の下端部には、胴縁材４１が屋外側へ延出して設けられる。上笠木材４０と胴縁材４１との間には、手摺面材７が設けられる。手摺面材７は、板状で板面を前後に向けて配置されており、上端部が上笠木材４０の屋外側端部に差し込まれる一方、下端部が胴縁材４１の屋外側端部に差し込まれて、手摺支柱６に設けられる。従って、手摺面材７は、手摺支柱６よりも前方に配置される。
【００２６】
図３から図６は、本実施例の手摺の防水構造の施工方法を時系列に示す概略斜視図である。本実施例の手摺の防水構造では、まず、外部床１の躯体である梁材９に手摺支柱６が設けられる。図１に示されるように、手摺支柱６は、梁材９に設けられる支柱本体４２と、支柱本体４２の下笠木材５から上方へ延出した部分を覆う支柱カバー４３とを有している。
【００２７】
支柱本体４２は、上下方向に細長い板状で板面を左右に向けて配置されており、下端部に梁材９への固定部材４４が形成されている。固定部材４４は、板状に形成されており、板面を上下に向けて配置される。固定部材４４の板面が梁材９の上面に重ね合わされた状態で、固定部材４４が梁材９にボルトナット４５で固定されることで、支柱本体４２が梁材９に固定される。支柱本体４２の下端部には、平面視略Ｌ字形の板状で屋外側に配置される一対の第一部材４６，４６、平面視略Ｌ字形の板状で屋内側に配置される一対の第二部材４７，４７、および正面視略Ｌ字形の板状の一対の第三部材４８，４８が設けられる。
【００２８】
一対の第一部材４６，４６は、一片４９，４９同士で支柱本体４２を挟むようにして支柱本体４２に固定され、他片５０が一片４９の屋外側端部において板面を前後に向けて配置される。一対の第二部材４７，４７は、一片５１，５１同士で支柱本体４２を挟むようにして支柱本体４２に固定され、他片５２が一片５１の屋内側端部において板面を前後に向けて配置される。一対の第三部材４８，４８は、一片５３，５３同士で支柱本体４２を挟むようにして支柱本体４２に固定され、他片５４が一片５３の下端部において板面を上下に向けて配置される。
【００２９】
支柱本体４２の梁材９への固定後、前述した外壁パネル１５、下地材１４および笠木下地材２０などが設けられる。この際、第一部材４６の他片５０が外壁パネル１５の裏面に当接した状態で、ネジ８５により第一部材４６と外壁パネル１５とが固定される。また、下地材１４は、第二部材４７の他片５２に当接した状態で配置される。なお、図１に示されるように、支柱本体４２と梁材９との固定部には、モルタル５５が充填される。
【００３０】
本実施例では、支柱本体４２を挟むようにして、笠木下地材２０が設けられる。各笠木下地材２０には、互いに対応する端部に、下方へ凹んで段部５６が形成されている。一方の笠木下地材２０は、段部５６が支柱本体４２に固定された一方の第三部材４８の他片５４に載せ置かれた状態で、段部５６と他片５４とがボルトナット５７で固定されることで、一方の第三部材４８に固定される。他方の笠木下地材２０は、段部５６が支柱本体４２に固定された他方の第三部材４８の他片５４に載せ置かれた状態で、段部５６と他片５４とがボルトナット５７で固定されることで、他方の第三部材４８に固定される。これにより、笠木下地材２０は、支柱本体４２を挟むようにして、支柱本体４２に固定される。なお、通常は複数の手摺支柱６が互いに間隔をあけて設置されるので、手摺支柱６，６間に配置される笠木下地材２０には、両端部に前述した段部５６が形成される。
【００３１】
笠木下地材２０の支柱本体４２への固定後、前述した捨て水切り材４が設けられる。捨て水切り材４の上片２２には、平面視略四角形状の貫通穴５８が形成されており、その貫通穴５８の周囲には四角枠状の突出部５９が形成されている。従って、捨て水切り材４は、支柱本体４２の上方から貫通穴５８に支柱本体４２を通すようにして、笠木下地材２０に載せ置かれる。そして、前述したように、捨て水切り材４は、笠木下地材２０にネジで固定される。この際、立ち上がり部２の屋外側上端部と上片２２との間、および立ち上がり部２の屋内側上端部と上片２２との間に水密材２７，２８が設けられる。これにより、立ち上がり部２の開口２１が閉じられた状態とされる。捨て水切り材４の設置後、突出部５９内にはシーリング材が充填される。なお、通常は前述したように手摺支柱６が複数設置されて左右に長い手摺３となるので、複数の捨て水切り材４が互いに接続されて設置される。この際、複数の捨て水切り材４の内、手摺支柱６のない箇所に設けられる捨て水切り材４には、貫通穴５８および突出部５９が形成されない。また、隣接する捨て水切り材４，４同士の接続部には、適宜の防水処理が施される。
【００３２】
捨て水切り材４の笠木下地材２０への固定後、前述した下笠木材５が設けられる。下笠木材５の上片３１には、平面視略四角形状の貫通穴６０が形成されている。従って、下笠木材５は、支柱本体４２の上方から貫通穴６０に支柱本体４２を通すようにして、捨て水切り材４に設けられる。下笠木材５の捨て水切り材４への設置は、前述したように取付具３４および被取付具３５を用いてなされる。すなわち、下笠木材５の設置前には、予め、下笠木材５に取付具３４が設けられ、捨て水切り材４に被取付具３５が設けられている。なお、通常は前述したように手摺支柱６が複数設置されて左右に長い手摺３となるので、下笠木材５の上片３１には、複数の貫通穴６０が形成されている。また、左右に長い手摺３の場合には、複数の下笠木材５を互いに隣接して設置してもよい。
【００３３】
このようにして、支柱本体４２は、捨て水切り材４および下笠木材５を貫通した状態で、下端部が立ち上がり部２の空間１９内に配置されて、梁材９に固定される。下笠木材５の捨て水切り材４への設置後、支柱本体４２には、左右一対の固定プレート６１，６１が設けられる。左右一対の固定プレート６１，６１は、左右対称に形成されているので、ここでは右側に配置される固定プレート６１について説明する。固定プレート６１は、後方へ開口した側面視略コ字形の板状のプレート本体部６２と、プレート本体部６２の開放両端部の左端部同士を接続する板状の接続部６３とを有している。接続部６３は、板面を左右に向けて配置されており、略中央部には左右方向へ沿って貫通穴６４が形成されている。
【００３４】
左右一対の固定プレート６１，６１は、左側の固定プレート６１の接続部６３の右面が支柱本体４２の左面に当接されると共に、右側の固定プレート６１の接続部６３の左面が支柱本体４２の右面に当接された状態で、ボルト６５およびナット６６により支柱本体４２に固定される。すなわち、右側の固定プレート６１の貫通穴６４、支柱本体４２に形成された貫通穴６７および左側の固定プレート６１の貫通穴６４にボルト６５が通された状態で、そのボルト６５にナット６６をねじ込むことで、左右の固定プレート６１，６１が支柱本体４２に固定される。この際、左右一対の固定プレート６１，６１のプレート本体部６２の前面と支柱本体４２の前面とが面一とされる。本実施例では、支柱本体４２の下笠木材５からの延出部分において、上下方向略中央部と下端部とに左右一対の固定プレート６１，６１が固定される。
【００３５】
固定プレート６１の支柱本体４２への固定後、支柱本体４２の下笠木材５からの延出部分に支柱カバー４３が被せられる。支柱カバー４３は、上下方向へ開口する平面視略四角形の角筒状に形成されている。支柱カバー４３の上端部には、支柱本体４２への取付時に用いられる取付部材６８が設けられる。取付部材６８は、上方へ開口する正面視略コ字形の板状に形成されており、中央片部６９に上下方向へ沿って貫通穴７０が形成されている。図６に示されるように、取付部材６８は、上方へ開口するようにして、開放両端部７１，７１それぞれが支柱カバー４３の内面にネジ７２で固定される。
【００３６】
支柱カバー４３の下端部には、下笠木材５への接触部材７３が設けられる。接触部材７３は、平面視略四角形の板状とされ、下面が屋外側へ行くに従って上方へ傾斜して形成されている。接触部材７３の中央部には、略矩形状の貫通穴７４が形成されており、その貫通穴７４と連続して、接触部材７３の前側隅部にネジ挿通穴７５，７５が形成されている。また、ネジ挿通穴７５，７５は、接触部材７３の後側隅部にも形成されている。図６に示されるように、接触部材７３は、上面を支柱カバー４３の下端部に接触させた状態で、接触部材７３のネジ挿通穴７５を介して、支柱カバー４３に形成されたネジ取付部７６にネジをねじ込むことで、支柱カバー４３の下端部に固定される。
【００３７】
支柱カバー４３の下端部と接触部材７３との間には、水密材７７が設けられる。水密材７７は、平面視略四角形の板状とされ、中央部に略矩形状の貫通穴７８が形成されている。水密材７７には、前側の隅部に貫通穴７８と連続するネジ挿通穴７９，７９が形成され、後側の隅部にもネジ挿通穴７９，７９が形成されている。また、接触部材７３の下面には、水密材８０が設けられる。この水密材８０は、支柱カバー４３と接触部材７３との間の水密材７７と同一のものとされる。従って、支柱カバー４３の下端部には、下方から順に水密材８０、接触部材７３および水密材７７が重ね合わされた状態で、それぞれのネジ挿通穴７５，７９を介して、ネジ取付部７６にネジがねじ込まれることで、接触部材７３および水密材７７，８０が固定される。ところで、支柱本体４２には、上端部に左右方向へ沿って側面視略四角形状の貫通穴８１が形成されており、その貫通穴８１に連通するようにして、上面にネジ穴８２が形成されている。
【００３８】
このような構成の支柱カバー４３は、支柱本体４２の上方から、接触部材７３の貫通穴７４および水密材７７，８０の貫通穴７８，７８に支柱本体４２を通すと共に、支柱カバー４３の下方への開口に支柱本体４２を通して、支柱本体４２に被せられ、下笠木材５の上片３１に載せ置かれる。この際、支柱カバー４３は、その下端部に固定された接触部材７３によって、軸線が鉛直方向に沿って配置される。そして、取付部材６８に形成された貫通穴７０を介して、ボルト８３が支柱本体４２の上面に形成されたネジ穴８２にねじ込まれる。また、支柱カバー４３の前面に形成された貫通穴を介して、左右一対の固定プレート６１，６１のプレート本体部６２前面にドリルネジがねじ込まれる。これにより、支柱カバー４３は、支柱本体４２の外面を覆った状態で、支柱本体４２に固定される。支柱カバー４３の支柱本体４２への固定後、支柱カバー４３の上端部に設けられた上笠木材４０と、支柱カバー４３の下端部に設けられた胴縁材４１との間に手摺面材７が設けられる。
【００３９】
本実施例の手摺の防水構造の場合、捨て水切り材４により立ち上がり部２の開口２１が閉じられた状態において、立ち上がり部２の上端部の屋内側の面、捨て水切り材４の上片２２の内面、捨て水切り材４の内片２４の内面および捨て水切り材４の延出片２５の内面により空間８４を形成することができる。なお、図示例では、水密材２８が設けられるので、空間８４は、立ち上がり部２の屋内側の面、上片２２の下方に配置される水密材２８の第一水密片２９の下面、捨て水切り材４の内片２４の内面および延出片２５の内面により形成されることになる。従って、たとえば、外部床１の掃除の際に外部床１に屋外方向へ向けて水をかけた場合、立ち上がり部２の屋内側の面と延出片２５の先端部との隙間２６から勢いよく水が外気と共に空間８４内に浸入したとしても、空間８４により侵入した外気の勢いを弱めることができ、外気と共に空間８４内に浸入した水を空間８４で止めることができる。また、本実施例の手摺の防水構造の場合、前述したように空間８４を形成することで立ち上がり部２の空間１９内に水が浸入するのを防止することができるので、弾性を有するシール部材を用いる場合と比較して、長期間にわたって水の浸入を防止することができる。
【００４０】
また、本実施例の手摺の防水構造の場合、前述した空間８４で水の浸入を防止すると共に、立ち上がり部２の屋内側上端部と捨て水切り材４との間に、内部の水密性を保持するための水密材２８が設けられるので、立ち上がり部２の空間１９内に水が浸入するのをより確実にかつ容易に防止することができる。また、本実施例の手摺の防水構造の場合、隅部材１６の他片１８の前方への屈曲部に設けられる防水シート１３と捨て水切り材４の上片２２との間に第一水密片２９が設けられると共に、隅部材１６の他片１８の上方への屈曲部の上面と捨て水切り材４の上片２２との間に第二水密片３０が設けられる。従って、第一水密片２９が設けられる箇所と第二水密片３０が設けられる箇所との二箇所において水密性が確保されるので、立ち上がり部２内への水の浸入の防止をさらに向上させることができる。
【００４１】
また、本実施例の手摺の防水構造の場合、下笠木材５と支柱カバー４３の下端部との間、すなわち接触部材７３と下笠木材５との間に、内部の水密性を保持するための水密材８０が設けられるので、下笠木材５と支柱カバー４３の下端部との間から立ち上がり部２内に雨水などが浸入するのを防止することができる。また、本実施例の手摺の防水構造の場合、接触部材７３と支柱カバー４３の下端部との間に、内部の水密性を保持するための水密材７７が設けられるので、接触部材７３と支柱カバー４３の下端部との間から立ち上がり部２内に雨水などが浸入するのを防止することができる。
【００４２】
また、本実施例の手摺の防水構造の場合、取付部材６８の貫通穴７０を介してボルト８３が支柱本体４２のネジ穴８２にねじ込まれることで、支柱カバー４３が下方へ押圧されるようにして支柱本体４２に固定される。従って、立ち上がり部２の屋内側上端部と捨て水切り材４との間の水密材２８が圧縮された状態で前記水密材２８による水密が保たれるので、立ち上がり部２内への水の浸入をさらに確実に防止することができる。また、下笠木材５と支柱カバー４３の下端部との間の水密材８０が圧縮された状態で前記水密材８０による水密が保たれるので、立ち上がり部２内への水の浸入をさらに確実に防止することができる。さらに、本実施例の手摺の防水構造の場合、前述したように外部床１の掃除の際に立ち上がり部２内へ水が浸入するのを防止できるので、特に、外部床１と行き来することができる建物内の床である居室の床よりも立ち上がり部２が低い場合に効果的である。
【００４３】
なお、本発明の手摺の防水構造は、前記実施例の構成に限らず、本発明の思想の範囲を逸脱しない範囲で適宜変更することができる。
【産業上の利用可能性】
【００４４】
本発明の手摺の防水構造は、バルコニなどの外部床の立ち上がり部に設けられる手摺に好適に適用される。
【符号の説明】
【００４５】
１  外部床
２  立ち上がり部
３  手摺
４  捨て水切り材
５  下笠木材
６  手摺支柱
７  手摺面材
９  梁材（外部床の躯体）
１９  空間
２１  開口
２６  隙間
２８  水密材
４２  支柱本体
４３  支柱カバー
８０  水密材
８４  空間
【図１】
2020045638.tif 000003
【図２】
2020045638.tif 000004
【図３】
2020045638.tif 000005
【図４】
2020045638.tif 000006
【図５】
2020045638.tif 000007
【図６】
2020045638.tif 000008